(57)【要約】【課題】  本発明は製品を箱詰めするとき片手で箱を抑えることなく、両手で製品の箱詰め作業がおこなわれる箱保持装置を得るにある。【解決手段】箱に製品を箱詰めする時、箱の浮き上がり横転を防ぐ装置で、箱を設置する台座と、台座の両端に延設する箱狭持部材と、前記箱狭持部材は台座に連結部材と弾性体とで継合されるように構成されている。【選択図】図２
2008007196.tif 000002
【特許請求の範囲】
【請求項１】
箱に製品を箱詰めする時、箱の浮き上がり横転を防ぐ装置で、箱を設置する台座と、台座の両端に延設する箱狭持部材と、前記箱狭持部材は台座に連結部材と弾性体とで継合されていることを特徴とする箱保持装置。
【請求項２】
箱に製品を箱詰めする時、箱の浮き上がり横転を防ぐ装置で、箱を設置する台座と、台座の両端に延設する箱狭持部材と、前記箱狭持部材先端部のローラと、その箱連結部材をある力を与え拡大さす弾性部材と、前記箱狭持部材は箱を狭持するため左右方向から弾性体で絶えず押圧していることを特徴とする箱保持装置。
【請求項３】
箱を設置する台座と、台座の両端に延設、箱を狭持する部材は距離を任意に変え、多種類の箱を狭持することを可能にしたことを特徴とする請求項１ないし請求項２記載の箱保持装置。
【請求項４】
箱を狭持するローラとそれを連結する部材のローラには、ワンウエイクラッチが組み込まれたことを特徴とする請求項２記載の箱保持装置。
【請求項５】
箱を狭持する部材は片方が固定され、もう一方の狭持部材が任意に移動することを特徴とする請求項１ないし４記載の箱保持装置。
【請求項６】
箱を狭持する部材には角度を付け下方向の力、即ち、楔効果が発揮されることを特徴とする請求項１ないし４記載の箱保持装置。
【発明の詳細な説明】
【技術分野】
【０００１】  本発明は、製品を箱詰めする時、箱を片手で押さえることなく行なうことに関する。
【背景技術】
【０００２】  従来、製品を箱詰めする時、図１５に示す通り、作業台に箱を置いたとき、箱底の内外フラップが浮き上がり、転倒するのを防止するため片手で箱を押さえ、製品の重さで空箱が安定するまで片手で箱詰めをしていた。
一方、製品の箱詰めを機械的に行う方法として、内外フラップをシリンダーで折りたたみ、箱の両側を狭持部材で固定し箱詰めする方法がとられていた。【０００３】  しかしながら、従来の製品の重さで空箱が安定するまで片手で箱を押さえるやり方は、片手でしか箱詰めができないため作業効率が極端に悪い。また、機械的に内外フラップ折りたたみと固定するやり方は段取り換えに手間がかかり多種少量製品には不向きであり、設備投資もかさむという欠点があった。
【特許文献１】公開実用新案公報  昭６１−１５５１２１
【発明の開示】
【発明が解決しようとする課題】
【０００４】  本発明は以上のような従来の欠点に鑑み、製品を箱詰めするとき片手で箱を抑えることなく、両手で製品の箱詰め作業がおこなわれる箱保持装置を提供することを目的とする。【０００５】  本発明の前記ならびにそのほかの目的と新規な特徴は次の説明を添付の図面と照らし合わせて読むと、より完全に明らかになるだろう。
ただし、図面はもっぱら解説のためのものであって、本発明の技術的範囲を限定するものではない。
【課題を解決するための手段】
【０００６】  上記目的を達成するため、本発明は箱に製品を箱詰めする時、箱の浮き上がり横転を防ぐ装置で、箱を設置する台座と、台座の両端に延設する箱狭持部材と、前記箱狭持部材は台座に連結部材と弾性体とで継合されているよう構成されている。
【発明の効果】
【０００７】以上の説明から明らかなように、本発明にあっては次に列挙する効果が得られる。
請求項１より次のことが言える。
１）箱が台座に設置されたとき、台座には下方向の力、即ち、楔効果が働き、台座に安定保持されるため、従来のように片手ではなく、両手で製品の箱詰めをすることができる。
２）作業動作は電源、エァー源を用いないので、省エネルギータイプであり、騒音がないため、環境面でも良い。
３）また、箱詰め後の箱の移動は、線接触になっているため、横方向の力は小さいので、容易に横方向に移動させ次工程の封函機方向に送り出すことができる。【０００８】  請求項２でも請求項１と同様なことが言える。【０００９】  請求項３では、台座両端の距離をハンドルで任意に変えることができるので、多種類の箱詰めが可能である。【００１０】  請求項４では、ローラにワンウエイクラッチが組み込まれているので、一度台座に設置された箱は浮き上がることなく、安定して両手で製品の箱詰めが可能である。【００１１】  請求項５では、箱を固定側に押し付けるようにし台座に固定できるので作業性が向上する。【００１２】  請求項６では、箱を箱保持装置に挿入した時、楔効果が働き、台座に安定して設置され浮き上ることはない。
【発明を実施するための最良の形態】
【００１３】  以下、図面に示す実施するための最良の形態により、本発明を詳細に説明する。【００１４】  図１ないし図１０の本発明の第１の実施するための最良の形態において、１は本発明の箱保持装置で、３は台座、４は箱狭持部材、５はローラで、１１は弾性体である。
図６に示すように、台座３の両端より箱を狭持する箱狭持部材４の間に箱底部の内外フラップが半開きになった箱を狭持させ、台座３の平坦部に強く当てることで、箱底部は密閉安置される。
従来だと、片手で箱の下方向に力をかけ安定させながら製品の箱詰めをしたが、本発明だと台座３に箱２を狭持した段階で、両手で製品の箱詰めが行えるところに特徴を持つ。【００１５】  次に部品の各作動につき説明する。
図２ないし図５より、台座を支える対となる台座支持コ字状部材６上部を平坦な鉄板１５等を用い溶接連結する。対となる、台座支持コ字状部材６を箱狭持支持棒１２で連結する。箱狭持連結棒１２と箱狭持部材４との連結は、箱支持連結部材７（ａ）、８（ｂ）をネジ止めし連結される。【００１６】  次に箱狭持部材４の作用につき説明する。
図６より台座３に挿入された箱２は箱狭持部材４へ弾性体１１、たとえば反発バネを用い保持する。弾性材としては、図１２示すようにコイルバネを用いてもよい。【００１７】  図１０に示すとおり、台座３に挿入された箱２を狭持する箱狭持部材４は水平方向の力Ｘと垂直方向の力Ｙ′が働く。垂直方向の力Ｙ′は一種の楔効果を発揮し、一度台座８に挿入した箱２を上方から抜こうとした時、逆に下方向の力Ｙ′が働き抜けにくくなる。【００１８】  図１に示すとおり、箱２に製品を両手で箱詰めした後、テープ貼り装置（省略）に箱２を移動する時には、箱２と箱狭持部材４の先端部はローラで構成されているため接触面は線接触となるので軽い力でスムーズに移動できる。【００１９】  尚、本発明の箱狭持部材４の狭持部にはローラを用いているが、板状の部材で箱の挿入を容易にするため入り口を広げたものでも良い。【００２０】  台座３の両端に対で設置された箱狭持支持棒１２はネジ加工がなされ、チエーンでスプロケットを介して連結されている。ハンドル９を操作することで、箱狭持部材４はスプロケットを介して双方が拡大或いは縮小され、任意の箱寸法に合わせ箱の狭持を行うことができる。【００２１】  本発明の図４、図７のローラ５の両端軸の軸受け部にワンウエイクラッチ１０が内蔵されている。
台座３に箱２を挿入した時、箱狭持部材４で狭持され、同時にワンウエイクラッチの作用で逆戻りしない機構となっている。【００２２】  図１３に本発明の第２の実施例を示す。
本発明では、片側を固定し、対する片側の箱狭持部材４のみを移動させ箱を狭持する。
本発明だと、箱２を固定体に押し付け挿入するので作業性が上がる。
【産業上の利用可能性】
【００２３】  本発明は、箱組立を行う包装産業分野で利用される。
【図面の簡単な説明】
【００２４】
【図１】本発明の第１の実施の形態の箱挿入、製品の箱詰めを示した図。
【図２】本発明の第１の実施の形態の側面図。
【図３】本発明の第１の実施の形態の平面図。
【図４】本発明の第１の実施の形態の正面図。
【図５】本発明の第１の実施の形態の側面図の要部拡大図。
【図６】本発明の第１の実施の形態の箱挿入状態を示した図。
【図７】本発明の第１の実施の形態の正面拡大図。
【図８】本発明の第１の実施の形態の正面図のＡ−Ａ断面図。
【図９】本発明の第１の実施の形態の正面図のＢ−Ｂ断面図。
【図１０】本発明の第１の実施の形態の箱狭持部材の箱への力のかかり状態を示した図。
【図１１】本発明の第１の実施の形態のローラ部のワンウエイクラッチの作用機構図。
【図１２】本発明の第１の実施の形態の狭持部材にコイルばねを用いた図。
【図１３】本発明の第２の実施例で箱狭持部材の片側を固定した図。
【図１４】本発明の箱保持装置に脚を取り付けた図。
【図１５】従来の事例で、箱を作業台に載せたとき箱の不安定状況を示した図。
【符号の説明】
【００２５】１、箱保持装置。
２、箱、
３、台座、
４、箱狭持部材、
５、ローラ、
６、台座支持コ字部材、
７、箱支持連結部材（ａ）
８、箱支持連結部材（ｂ）、
９、ハンドル、
１０、ワンウエイクラッチ、
１１、弾性材、
１２、箱狭持支持棒、
１３、スプロケット、
１４、箱狭持調整部材、
１５、鉄板、
１６、箱保持装置台座、
【図１】
2008007196.tif 000003
【図２】
2008007196.tif 000004
【図３】
2008007196.tif 000005
【図４】
2008007196.tif 000006
【図５】
2008007196.tif 000007
【図６】
2008007196.tif 000008
【図７】
2008007196.tif 000009
【図８】
2008007196.tif 000010
【図９】
2008007196.tif 000011
【図１０】
2008007196.tif 000012
【図１１】
2008007196.tif 000013
【図１２】
2008007196.tif 000014
【図１３】
2008007196.tif 000015
【図１４】
2008007196.tif 000016
【図１５】
2008007196.tif 000017